(57)【要約】【課題】見栄えよくかつ信頼性高く電子機器を保持すること。【解決手段】実施形態に係る電子機器の保持構造は、意匠部と、パネル部と、載置部と、可動式の爪部とを備える。意匠部は、外部へ向けた意匠面が形成される。パネル部は、意匠部に形成される。載置部は、パネル部に設けられ、電子機器が載置される。爪部は、パネル部に設けられ、載置部とともに電子機器を支持可能に設けられる。【選択図】図１
2020026239.tif 000002
【特許請求の範囲】
【請求項１】
外部へ向けた意匠面が形成される意匠部と、
前記意匠部に形成されるパネル部と、
前記パネル部に設けられ、電子機器が載置される載置部と、
前記パネル部に設けられ、前記載置部とともに電子機器を支持可能に設けられる可動式の爪部と
を備えることを特徴とする電子機器の保持構造。
【請求項２】
前記爪部は、略鉛直方向に沿ってスライド可能に設けられる
ことを特徴とする請求項１に記載の電子機器の保持構造。
【請求項３】
前記爪部は、略鉛直方向に略直交する回転軸まわりに回転可能に設けられる
ことを特徴とする請求項１に記載の電子機器の保持構造。
【請求項４】
前記爪部は、電子機器を支持しない場合に前記パネル部へ収納可能に設けられる
ことを特徴とする請求項３に記載の電子機器の保持構造。
【請求項５】
前記載置部は、
電子機器と接触する部位に、当該載置部の中央部に向かって下り勾配となるテーパ面を有する
ことを特徴とする請求項１〜４のいずれか一つに記載の電子機器の保持構造。
【請求項６】
前記載置部は、
当該載置部に所定量以上の外力が加わった場合に、前記パネル部へ収納されるように設けられる
ことを特徴とする請求項１〜５のいずれか一つに記載の電子機器の保持構造。
【請求項７】
前記パネル部は、凹状に形成された凹部を有し、
前記爪部および前記載置部は、前記凹部に設けられる
ことを特徴とする請求項１〜６のいずれか一つに記載の電子機器の保持構造。
【請求項８】
前記凹部を覆う蓋部
をさらに備えることを特徴とする請求項７に記載の電子機器の保持構造。
【発明の詳細な説明】
【技術分野】
【０００１】
開示の実施形態は、電子機器の保持構造に関する。
【背景技術】
【０００２】
従来、スマートフォンやタブレットといった携帯型の電子機器を車室内に取り付けて各種アプリを起動させ、たとえばカーナビゲーション装置として利用することが知られている。また、かかる場合に電子機器を保持するための保持構造が各種提案されている。
【０００３】
たとえば、特許文献１には、車両のダッシュボード上などに固定された取付ベースから延びるアーム部の先端部において、挟持部材により挟み付けることによって携帯機器を保持する自動車用携帯機器ホルダが開示されている。
【先行技術文献】
【特許文献】
【０００４】
【特許文献１】特開２０１３−２５６２４０号公報
【発明の概要】
【発明が解決しようとする課題】
【０００５】
しかしながら、上述した従来技術には、見栄えよくかつ信頼性高く電子機器を保持するうえで、さらなる改善の余地がある。
【０００６】
ここに言う見栄えよくとは、たとえば近年嗜好するユーザの多いフローティングデザインやフラットデザイン等を実現可能であることを指す。
【０００７】
また、ここに言う信頼性高くとは、たとえば事故時に搭乗者を傷つけないように内装部品形状に設けられている安全基準（たとえばＥＣＥ２１）を満たしていたり、悪路走行時のガタつきを抑えられたりすることを指す。
【０００８】
なお、こうした点は、車載用に限らず、たとえばユーザの手が塞がっている状況等で、電子機器をユーザへ向けて保持する必要のあるケース全般に共通する課題である。
【０００９】
実施形態の一態様は、上記に鑑みてなされたものであって、見栄えよくかつ信頼性高く電子機器を保持することができる電子機器の保持構造を提供することを目的とする。
【課題を解決するための手段】
【００１０】
実施形態の一態様に係る電子機器の保持構造は、意匠部と、パネル部と、載置部と、可動式の爪部とを備える。前記意匠部は、外部へ向けた意匠面が形成される。前記パネル部は、前記意匠部に形成される。前記載置部は、前記パネル部に設けられ、電子機器が載置される。前記爪部は、前記パネル部に設けられ、前記載置部とともに電子機器を支持可能に設けられる。
【発明の効果】
【００１１】
実施形態の一態様によれば、見栄えよくかつ信頼性高く電子機器を保持することができる。
【図面の簡単な説明】
【００１２】
【図１】図１は、実施形態に係るスマートフォンの保持構造の概要を示すオーディオ装置の斜視模式図である。
【図２】図２は、爪部が回転方式である場合の動作説明図（その１）である。
【図３】図３は、爪部が回転方式である場合の動作説明図（その２）である。
【図４】図４は、爪部が回転方式である場合の配置例を示す図（その１）である。
【図５】図５は、爪部が回転方式である場合の配置例を示す図（その２）である。
【図６】図６は、爪部が回転方式である場合の配置例を示す図（その３）である。
【図７】図７は、爪部が回転方式である場合の配置例を示す図（その４）である。
【図８】図８は、載置部の内部形状の具体例を示す図（その１）である。
【図９】図９は、載置部の内部形状の具体例を示す図（その２）である。
【図１０】図１０は、載置部がクラッシャブル構造である場合の動作説明図である。
【図１１】図１１は、第１変形例に係るスマートフォンの保持構造の概要を示すオーディオ装置の斜視模式図である。
【図１２】図１２は、第２変形例に係るスマートフォンの保持構造の概要を示すオーディオ装置の斜視模式図である。
【図１３】図１３は、第２変形例に係るスマートフォンの保持構造の動作説明図である。
【図１４】図１４は、第３変形例に係るスマートフォンの保持構造の概要を示す側面模式図である。
【発明を実施するための形態】
【００１３】
以下、添付図面を参照して、本願の開示する電子機器の保持構造の実施形態を詳細に説明する。なお、以下に示す実施形態によりこの発明が限定されるものではない。
【００１４】
また、以下では、電子機器がスマートフォン（以下、「スマホＳＰ」と言う）であり、かかるスマホＳＰの保持構造が車両に搭載されたオーディオ装置１０に設けられる場合を例に挙げて説明を行う。
【００１５】
また、以下の説明に用いる各図面には、説明を分かりやすくするために、鉛直上向きを正方向とするＺ軸を含む３次元の直交座標系を図示する場合がある。
【００１６】
図１は、実施形態に係るスマホＳＰの保持構造の概要を示すオーディオ装置１０の斜視模式図である。図１に示すように、実施形態に係るオーディオ装置１０は、意匠部１１と、本体部１２とを備える。意匠部１１は、車室内に露出する部分であり、本体部１２は車室内に露出しない、いわゆる内機と呼ばれる部分である。すなわち、オーディオ装置１０は、設置面（たとえば、ダッシュボード）の外側に意匠部１１、内側に本体部１２がそれぞれ配置される。
【００１７】
意匠部１１は、たとえば操作ダイヤルや操作ボタンといった操作部１１ａと、ＬＣＤ（Liquid  Crystal  Display）等の表示部１１ｂと、ＵＳＢ（Universal  Serial  Bus）コネクタ１１ｃと、パネル部１１ｄと、載置部１１ｅとを備える。
【００１８】
パネル部１１ｄは、略扁平な領域としてたとえば意匠部１１の中央部に形成される。載置部１１ｅは、パネル部１１ｄの下端部付近において、Ｙ軸方向に沿って延在しかつパネル部１１ｄからせり出すように設けられる。載置部１１ｅには、スマホＳＰが載置される。
【００１９】
また、パネル部１１ｄは、爪部２１を有する。爪部２１は、スマホＳＰを保持するための部材であり、図１に示すようにたとえば１対設けられるとともに、Ｚ軸方向に沿ってスライド可能に設けられる。そして、爪部２１は、図中の矢印１０１に示すように、上方から下降させて、載置部１１ｅに載置されたスマホＳＰに対し当接させることによってスマホＳＰを保持する。すなわち、スマホＳＰは、爪部２１と載置部１１ｅとによって上下方向から挟み付けられることによって保持される。
【００２０】
このように、爪部２１によってスマホＳＰを保持する保持構造によれば、見たまま容易に操作方法が分かり、かつ、実際に容易な操作で、スマホＳＰを意匠部１１の前面に保持させることが可能となる。
【００２１】
なお、爪部２１はそれぞれ、たとえば意匠部１１の内部で連接されていてもよい。かかる場合、ユーザは１つの爪部２１を持って動かすだけで同時に１対の爪部２１を動かすことができ、操作性をより高めることが可能となる。
【００２２】
また、爪部２１は、たとえばバネ等により常に下方へ向けて付勢されるように設けられていてもよい。かかる場合、ユーザは、載置部１１ｅにスマホＳＰを載置する前に一旦爪部２１を付勢力に抗して上方へ移動させておき、載置部１１ｅにスマホＳＰを載置したならば、つづいては爪部２１を下方へ移動させ、スマホＳＰに対し当接させることとなる。この場合、より強固にスマホＳＰを保持することが可能となる。
【００２３】
なお、図１では、爪部２１がＺ軸方向に沿って移動可能に設けられている例を示したが、爪部２１が回転方式であることとしてもよい。
【００２４】
図２および図３は、爪部２１が回転方式である場合の動作説明図（その１）および（その２）である。また、図４〜図７は、爪部２１が回転方式である場合の配置例を示す図（その１）〜（その４）である。なお、図２および図３は、意匠部１１をＹ軸の正方向側から視た場合の側面模式図となっている。また、図４〜図７は、パネル部１１ｄをＸ軸の正方向側から視た場合の正面模式図となっている。
【００２５】
図２に示すように、爪部２１は、パネル部１１ｄに対し収納可能に、かつ、Ｙ軸方向に略平行な回転軸ａｘＲまわりに回転可能に設けられていてもよい。
【００２６】
かかる場合、ユーザは、載置部１１ｅにスマホＳＰを載置する前に、一旦爪部２１をその先端部が上方を向くように回転軸ａｘＲまわりに回転させておくこととなる（図中の矢印２０１参照）。そして、図３に示すように、載置部１１ｅにスマホＳＰを載置したならば、つづいては爪部２１を回転軸ａｘＲまわりに逆向きに回転させ（図中の矢印２０２参照）、スマホＳＰに対し当接させることとなる。
【００２７】
なお、このような回転方式の場合にも、上述したように、たとえばバネ等により常に爪部２１がパネル部１１ｄへ収納される向きで付勢されるように設けられていてもよい。これにより、強固にスマホＳＰを保持することが可能となる。
【００２８】
これまで説明した爪部２１を１対設ける場合の配置例は、図４のようになる。図４に示すように、１対の爪部２１は、スマホＳＰを保持していない状態では、パネル部１１ｄに収納された状態となる。これにより、見栄えをよくすることができる。なお、ユーザが爪部２１を起こしやすいように、パネル部１１ｄには、図４に示すようにたとえば座ぐり１１ｄａが形成されていてもよい。
【００２９】
また、図５に示すように、たとえば爪部２１は１つだけであってもよい。かかる場合でも、後述する載置部１１ｅのテーパ形状にと組み合わせることにより、スマホＳＰを三点支持することができるので、信頼性高くスマホＳＰを保持することが可能となる。
【００３０】
また、図６に示すように、たとえば爪部２１は、図４に示した１対が先端部において連接された形状であってもよい。かかる場合、連接された部分を持ち手としてユーザが持ち上げやすくでき、操作性を高めることができる。
【００３１】
また、図７に示すように、たとえば爪部２１は、数は１つであるものの、スマホＳＰと広範囲での当接が可能となるように、幅広形状に形成されていてもよい。かかる場合、スマホＳＰと広範囲での当接が可能となるので、強固にスマホＳＰを保持することができ、信頼性高くスマホＳＰを保持することができる。
【００３２】
こうした爪部２１の配置例を載置部１１ｅの形状と組み合わせることによって、より信頼性高くスマホＳＰを保持することが可能となる。図８および図９は、載置部１１ｅの内部形状の具体例を示す図（その１）および（その２）である。なお、図８および図９は、載置部１１ｅをＸ軸の正方向側から視た場合の正面模式図となっている。
【００３３】
図８のＭ１部に示すように、載置部１１ｅは、たとえばスマホＳＰの角部と接触する部位が、載置部１１ｅの中央部に向かって下り勾配となるテーパ面を有するように形成されていてもよい。
【００３４】
これにより、ユーザがスマホＳＰを載置部１１ｅへ適当に載置しても、スマホＳＰを二点支持してセンタリングさせることが可能となる。また、上述した爪部２１の各種配置例と組み合わせることによって、信頼性高くスマホＳＰを保持することができる。
【００３５】
また、図９に示すように、載置部１１ｅは、内部形状がテーパ面のみで形成されているように設けられてもよい。なお、こうしたテーパ面は、スマホＳＰを滑らかにセンタリングさせることができるように、すべり特性の高い（摩擦係数の低い）、いわゆるジュラコン等の樹脂やゴム等により形成されていることが好ましい。
【００３６】
また、図８および図９を用いた説明では、載置部１１ｅの内部形状がテーパ面を有する例を挙げたが、載置部１１ｅの外形そのものがテーパ面を有していてもよい。
【００３７】
ところで、載置部１１ｅがパネル部１１ｄからせり出すように設けられる点については既に述べたが、これを言い換えれば、載置部１１ｅはいわゆる内突部品であるということである。この点に関し、載置部１１ｅをクラッシャブル構造としてもよい。
【００３８】
図１０は、載置部１１ｅがクラッシャブル構造である場合の動作説明図である。なお、図１０は、意匠部１１をＹ軸の正方向側から視た場合の側面模式図となっている。図１０に示すように、載置部１１ｅは、たとえば強い衝撃が加わった場合等に、パネル部１１ｄへ収納されるように設けられてもよい（図中の矢印１００１参照）。
【００３９】
かかる構造はたとえば、バネ等により載置部１１ｅを常にパネル部１１ｄへ収納される向きに付勢しておくとともに、ラチェット機構等により載置部１１ｅをパネル部１１ｄからせり出した位置に保持しておき、衝撃が加わった時にはラチェット機構の歯が外れるといった仕組みを用いることで実現可能である。
【００４０】
これにより、車両の事故等に際した内突部品の安全基準を満たしやすくすることができる。また、スマホＳＰを保持している時に衝撃が加わった場合には、載置部１１ｅが引き込まれることにより、スマホＳＰを強固に固定して、スマホＳＰの飛散により搭乗者を傷つけるのを防止することができる。
【００４１】
なお、事故等による衝撃が加わった場合に限らず、スマホＳＰを保持していない時に、たとえば手動で強い力を加えても載置部１１ｅがパネル部１１ｄへ収納されるようにしてもよい。かかる場合、スマホＳＰを保持していない時のパネル部１１ｄの見栄えをよくすることができる。
【００４２】
（第１変形例）
ところで、これまでは、パネル部１１ｄの表面でスマホＳＰを保持する例を挙げたが、パネル部１１ｄに凹状に形成された凹部１１ｇ（図１１参照）においてスマホＳＰを保持することとしてもよい。
【００４３】
図１１は、第１変形例に係るスマホＳＰの保持構造の概要を示すオーディオ装置１０の斜視模式図である。
【００４４】
図１１に示すように、第１変形例に係るスマホＳＰの保持構造は、蓋部１１ｆを備える。蓋部１１ｆは、開閉可能に設けられ、スマホＳＰを保持していない時には、後述する凹部１１ｇを覆って隠すことができる。これにより、スマホＳＰを保持していない時の見栄えをよくすることができる。
【００４５】
なお、蓋部１１ｆはたとえば、図１１に示すように、ユーザが指で蓋部１１ｆの所定部位を押圧すれば、パネル部１１ｄの上部へ引き込まれて収納されるように設けられる。蓋部１１ｆが収納されると、パネル部１１ｄに凹状に形成された凹部１１ｇが露出する。
【００４６】
凹部１１ｇの奥側の面、すなわちＹＺ平面に略平行な面には、たとえば上述した爪部２１が設けられる。凹部１１ｇの底側の面、すなわちＸＹ平面に略平行な下側の面には、たとえば上述した載置部１１ｅが設けられる。
【００４７】
このような第１変形例によれば、まずスマホＳＰを保持していない時の見栄えをよくすることができる。また、スマホＳＰを保持している時は、スマホＳＰをパネル部１１ｄの表面よりも突出させることなく保持することができる。
【００４８】
なお、図示は略しているが、蓋部１１ｆの開閉状態を検知する検知部を備えることとしたうえで、検知部により蓋部１１ｆが開けられたことが検知されたならば、自動的に爪部２１を持ち上げるようにしてもよい。
【００４９】
また、かかる検知部によらずとも、蓋部１１ｆが開けられたならば、機械的に連動して爪部２１が持ち上げられる構成としてもよい。
【００５０】
（第２変形例）
次に、図１２は、第２変形例に係るスマホＳＰの保持構造の概要を示すオーディオ装置１０の斜視模式図である。また、図１３は、第２変形例に係るスマホＳＰの保持構造の動作説明図である。
【００５１】
上述した第１変形例では、蓋部１１ｆが収納式である例を挙げたが、図１２に示すように、蓋部１１ｆは、ユーザが手で把手１１ｆａを持って、凹部１１ｇに対し、被せたり外したりする構成であってもよい。
【００５２】
また、このように、蓋部１１ｆをパネル部１１ｄの上部に収納する必要がない構成の場合、図１３に示すように、たとえば１対の爪部２１をパネル部１１ｄの上部に配置しておいてもよい。そして、ユーザの操作部１１ａに対する操作によって、これらの爪部２１が連動して上方からスマホＳＰを保持するように回転する構成としてもよい（図中の矢印１３０１参照）。
【００５３】
このような第２変形例によれば、第１変形例と同様に、スマホＳＰを保持していない時の見栄えをよくすることができる。また、スマホＳＰを保持している時は、スマホＳＰをパネル部１１ｄの表面よりも突出させることなく保持することができる。
【００５４】
なお、図示は略しているが、凹部１１ｇにおけるスマホＳＰの有無を検知する検知部を備えることとしたうえで、かかる検知部により凹部１１ｇにスマホＳＰが有ることが検知されたならば、自動的に１対の爪部２１を連動して回転させるようにしてもよい。
【００５５】
（第３変形例）
また、このようにスマホＳＰの有無を検知する検知部を備える場合、その検知結果を別の手段に利用することができる。図１４は、第３変形例に係るスマホＳＰの保持構造の概要を示す側面模式図である。
【００５６】
図１４に示すように、第３変形例に係るスマホＳＰの保持構造は、たとえば意匠部１１の背面側にワイヤレス充電器１１ｈを備える。ワイヤレス充電器１１ｈは、検知部によりスマホＳＰがパネル部１１ｄに有ることが検知されたならば、スマホＳＰのワイヤレス充電を開始する。
【００５７】
これにより、充電コードが不要となるので、充電時における見栄えをよくすることができる。
【００５８】
上述してきたように、実施形態に係るスマホＳＰ（「電子機器」の一例に相当）の保持構造は、意匠部１１と、パネル部１１ｄと、載置部１１ｅと、可動式の爪部２１とを備える。意匠部１１は、外部へ向けた意匠面が形成される。パネル部１１ｄは、意匠部１１に形成される。載置部１１ｅは、パネル部１１ｄに設けられ、スマホＳＰが載置される。爪部２１は、パネル部１１ｄに設けられ、載置部１１ｅとともにスマホＳＰを支持可能に設けられる。
【００５９】
したがって、実施形態に係るスマホＳＰの保持構造によれば、見栄えよくかつ信頼性高く電子機器を保持することができる。
【００６０】
また、爪部２１は、略鉛直方向に沿ってスライド可能に設けられる。したがって、実施形態に係るスマホＳＰの保持構造によれば、操作性を高めることができるとともに、スマホＳＰを保持する位置の位置決めを容易に行わせることができる。
【００６１】
また、爪部２１は、略鉛直方向に略直交する回転軸ａｘＲまわりに回転可能に設けられる。したがって、実施形態に係るスマホＳＰの保持構造によれば、操作性を高めることができるとともに、パネル部１１ｄへ爪部２１を収納させることを可能にすることができる。
【００６２】
また、爪部２１は、スマホＳＰを支持しない場合にパネル部１１ｄへ収納可能に設けられる。したがって、実施形態に係るスマホＳＰの保持構造によれば、スマホＳＰを支持しない場合の見栄えをよくすることができる。
【００６３】
また、載置部１１ｅは、スマホＳＰと接触する部位に、載置部１１ｅの中央部に向かって下り勾配となるテーパ面を有する。したがって、実施形態に係るスマホＳＰの保持構造によれば、ユーザがスマホＳＰを載置部１１ｅへ適当に載置しても、スマホＳＰを容易にセンタリングさせることが可能となる。
【００６４】
また、載置部１１ｅは、所定量以上の外力が加わった場合に、パネル部１１ｄへ収納されるように設けられる。したがって、実施形態に係るスマホＳＰの保持構造によれば、車両の事故等に際した内突部品の安全基準を満たしやすくすることができる。すなわち、信頼性高くスマホＳＰを保持することができる。
【００６５】
また、パネル部１１ｄは、凹状に形成された凹部１１ｇを有し、爪部２１および載置部１１ｅは、凹部１１ｇに設けられる。したがって、実施形態に係るスマホＳＰの保持構造によれば、スマホＳＰをパネル部１１ｄの表面よりも突出させることなく保持することができる。
【００６６】
また、パネル部１１ｄは、凹部１１ｇを覆う蓋部１１ｆをさらに備える。したがって、実施形態に係るスマホＳＰの保持構造によれば、スマホＳＰを保持していない時の見栄えをよくすることができる。
【００６７】
なお、上述した実施形態では、スマホＳＰの保持構造が車両に搭載されたオーディオ装置１０に設けられる場合を例に挙げたが、オーディオ装置１０に限らず、車両に搭載された他の装置であってもよい。また、車両に搭載された装置に限らなくともよい。
【００６８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６９】
１０    オーディオ装置
１１    意匠部
１１ｄ  パネル部
１１ｅ  載置部
１１ｆ  蓋部
１１ｇ  凹部
１２    本体部
２１    爪部
ＳＰ    スマホ
ａｘＲ  回転軸
【図１】
2020026239.tif 000003
【図２】
2020026239.tif 000004
【図３】
2020026239.tif 000005
【図４】
2020026239.tif 000006
【図５】
2020026239.tif 000007
【図６】
2020026239.tif 000008
【図７】
2020026239.tif 000009
【図８】
2020026239.tif 000010
【図９】
2020026239.tif 000011
【図１０】
2020026239.tif 000012
【図１１】
2020026239.tif 000013
【図１２】
2020026239.tif 000014
【図１３】
2020026239.tif 000015
【図１４】
2020026239.tif 000016